(57)【要約】      （修正有）【課題】病院又は診療所などの医療機関で撮影および蓄積された医用画像について、診察又は診断時に参照を可能とするコンピュータプログラム、記録媒体、表示装置及び表示方法を提供する。【解決手段】コンピュータプログラムは、コンピュータに、画像を出力させるためのコンピュータプログラムであって、コンピュータに、画像に対する第１の処理の指定に基づいて第１の処理の内容を特定する複数の特定条件を設定する処理と、複数の特定条件それぞれに基づく処理結果後の画像をそれぞれ出力する処理とを実行させる。【選択図】図１
2019188031.tif 000002
【特許請求の範囲】
【請求項１】
コンピュータに、画像を出力させるためのコンピュータプログラムであって、
コンピュータに、
画像に対する第１の処理の指定に基づいて前記第１の処理の内容を特定する複数の特定条件を設定する処理と、
前記複数の特定条件それぞれに基づく処理結果後の画像をそれぞれ出力する処理と
を実行させるコンピュータプログラム。
【請求項２】
コンピュータに、
前記画像に対する第２の処理の指定に基づいて前記第２の処理の内容を特定する複数の特定条件を設定する処理と、
前記第１の処理の内容を特定する複数の特定条件それぞれと前記第２の処理の内容を特定する複数の特定条件それぞれとの組み合わせによって得られる複数の組み合わせ特定条件に基づく処理結果後の画像をそれぞれ出力する処理と
を実行させる請求項１に記載のコンピュータプログラム。
【請求項３】
コンピュータに、
前記処理に関する基準値の指定に基づいて前記基準値を含む範囲内に前記複数の特定条件を設定する処理を実行させる請求項１又は請求項２に記載のコンピュータプログラム。
【請求項４】
コンピュータに、
前記処理に関する範囲の指定に基づいて前記範囲内に前記複数の特定条件を設定する処理を実行させる請求項１又は請求項２に記載のコンピュータプログラム。
【請求項５】
コンピュータに、
前記複数の特定条件または前記複数の組み合わせ特定条件の使用頻度に応じて、異なる表示態様になるように前記処理結果後の画像をそれぞれ出力する処理を実行させる請求項１又は請求項２に記載のコンピュータプログラム。
【請求項６】
コンピュータに、
前記処理結果後の画像をそれぞれ表示する処理と、
表示されたそれぞれの画像のうちの一の画像が選択された場合、選択された画像に対応する特定条件を基準値とし、該基準値を含む範囲に前記複数の特定条件を設定する処理と
を実行させる請求項１から請求項５のいずれか一項に記載のコンピュータプログラム。
【請求項７】
コンピュータに、
前記一の画像に対する操作に応じて、複数の前記特定条件を設定する範囲または設定する特定条件の数を変更する処理を実行させる請求項６に記載のコンピュータプログラム。
【請求項８】
コンピュータに、
前記処理結果後の画像をそれぞれ表示する処理と、
表示されたそれぞれの画像のうちの複数の画像が選択された場合、選択された複数の画像に対応する特定条件を範囲とし、該範囲に前記複数の特定条件を設定する処理と
を実行させる請求項１から請求項５のいずれか一項に記載のコンピュータプログラム。
【請求項９】
前記処理は、
ウィンドウ幅、ウィンドウ値、カラーマップのＲＧＢ値又は不透明度、回転角度、拡縮倍率、クリッピング座標、及び信号値閾値に関する処理の少なくとも一つを含む請求項１から請求項８のいずれか一項に記載のコンピュータプログラム。
【請求項１０】
前記処理は、
視点位置及び部位に関する処理の少なくとも一つを含む請求項１又は請求項２に記載のコンピュータプログラム。
【請求項１１】
コンピュータに、
複数の視点位置に基づく前記処理結果後の画像をそれぞれ表示する処理を実行させる請求項１０に記載のコンピュータプログラム。
【請求項１２】
コンピュータに、
ボリュームレンダリング画像を表示する処理と、
視点位置に基づく前記処理結果後の画像に対応する所定の断面での断面画像を表示する処理と、
前記断面を前記ボリュームレンダリング画像内に表示する処理と
を実行させる請求項１０又は請求項１１に記載のコンピュータプログラム。
【請求項１３】
コンピュータに、
前記ボリュームレンダリング画像内の断面に対する操作に応じて前記断面画像を更新する処理を実行させる請求項１２に記載のコンピュータプログラム。
【請求項１４】
コンピュータに、
複数の視点位置に基づく前記処理結果後のそれぞれの画像中に所定の事象の有無を判定する処理と、
前記事象があると判定した画像を他の画像と異なる態様で表示する処理と
を実行させる請求項１０から請求項１３のいずれか一項に記載のコンピュータプログラム。
【請求項１５】
コンピュータに、
画像に対する一連の処理の指定に基づいて、各処理の内容を特定する複数の特定条件の中から選択された特定条件に基づく処理結果後の画像を、前記一連の処理毎に表示する処理を実行させる請求項１から請求項１４のいずれか一項に記載のコンピュータプログラム。
【請求項１６】
コンピュータに、
画像に対する一連の処理の指定に基づいて、各処理の内容を特定する複数の特定条件の中から選択された各特定条件の組み合わせによって得られる組み合わせ特定条件に基づく処理結果後の画像を表示する処理を実行させる請求項１から請求項１５のいずれか一項に記載のコンピュータプログラム。
【請求項１７】
コンピュータに、
画像に対する一連の処理の指定の順序を示す指定順序識別子を表示する処理を実行させる請求項１から請求項１６のいずれか一項に記載のコンピュータプログラム。
【請求項１８】
コンピュータに、画像を出力させるためのコンピュータプログラムを記録したコンピュータでの読み取りが可能な非一時的な記録媒体であって、
前記コンピュータプログラムは、
コンピュータに、
画像に対する第１の処理の指定に基づいて前記第１の処理の内容を特定する複数の特定条件を設定する処理と、
前記複数の特定条件それぞれに基づく処理結果後の画像をそれぞれ出力する処理と
を実行させる記録媒体。
【請求項１９】
画像を表示画面に表示する表示装置であって、
画像に対する第１の処理の指定に基づいて前記第１の処理の内容を特定する複数の特定条件を設定する設定部と、
前記複数の特定条件それぞれに基づく処理結果後の画像をそれぞれ表示する表示処理部と
を備える表示装置。
【請求項２０】
画像を表示画面に表示する表示方法であって、
画像に対する第１の処理の指定に基づいて前記第１の処理の内容を特定する複数の特定条件を設定し、
前記複数の特定条件それぞれに基づく処理結果後の画像をそれぞれ表示する表示方法。
【発明の詳細な説明】
【技術分野】
【０００１】
本開示は、コンピュータプログラム、記録媒体、表示装置及び表示方法に関する。
【背景技術】
【０００２】
近年、病院又は診療所などの医療機関では、医療情報の電子化及びシステム化が進みつつあり、医療機関の放射線科等の各部門での画像データを表示および解析することにより、診断を支援する医用画像処理システムが実用化されている。
【０００３】
このような医用画像処理システムは、膨大な医用画像を管理するサーバ、及び医師又は技師などの医療従事者が医用画像を閲覧し、あるいは所要の操作を行うための表示装置などを備える。
【０００４】
特許文献１には、被検体の３次元領域をＸ線で走査して取得した投影データに基づいてボリュームデータを生成し、生成したボリュームデータから任意断面の断層像データを生成して画像を表示する装置が開示されている。
【先行技術文献】
【特許文献】
【０００５】
【特許文献１】特開２００３−１０１７３号公報
【発明の概要】
【発明が解決しようとする課題】
【０００６】
しかし、特許文献１のような装置にあっては、画像を表示する際の表示条件を決めるパラメータは多数あるため、最適な画像を得るためにはパラメータを一つずつ試行錯誤する必要があり、最適な結果を得るために手間と時間を要していた。
【０００７】
本開示は、斯かる事情に鑑みてなされたものであり、効率よく最適な結果を得ることができるコンピュータプログラム、記録媒体、表示装置及び表示方法を明らかにする。
【課題を解決するための手段】
【０００８】
本願は上記課題を解決する手段を複数含んでいるが、その一例を挙げるならば、コンピュータに、画像を出力させるためのコンピュータプログラムは、コンピュータに、画像に対する第１の処理の指定に基づいて前記第１の処理の内容を特定する複数の特定条件を設定する処理と、前記複数の特定条件それぞれに基づく処理結果後の画像をそれぞれ出力する処理とを実行させる。
【発明の効果】
【０００９】
本開示によれば、効率よく最適な結果を得ることができる。本開示に関連する更なる特徴は、本明細書の記述、添付図面から明らかになるものである。また、上記した以外の、課題、構成および記述は、以下の実施形態の説明により明らかにされる。
【図面の簡単な説明】
【００１０】
【図１】本実施の形態の表示システムの構成の一例を示すブロック図である。
【図２】本実施の形態の表示処理部の構成の一例を示すブロック図である。
【図３】本実施の形態の表示装置の表示画面に表示される画像の一例を示す模式図である。
【図４】ウィンドウ幅の基準値を指定した処理後の画像の一例を示す説明図である。
【図５】ウィンドウ幅の上限値及び下限値を指定した処理後の画像の一例を示す説明図である。
【図６】ウィンドウ幅及びウィンドウ値を指定した処理後の画像の一例を示す説明図である。
【図７】ＳＰＩＮ及びＤＯＬＬＹを指定した処理後の画像の一例を示す説明図である。
【図８】特定条件の使用頻度の第１表示例を示す説明図である。
【図９】特定条件の使用頻度の第２表示例を示す説明図である。
【図１０】特定条件の更新の第１例を示す説明図である。
【図１１】特定条件の更新の第２例を示す説明図である。
【図１２】特定条件の更新の第３例を示す説明図である。
【図１３】特定条件の更新の第４例を示す説明図である。
【図１４】特定条件の更新の第５例を示す説明図である。
【図１５】特定条件の更新の第６例を示す説明図である。
【図１６】ボリュームレンダリング画像に対する処理後画像の同時表示の第１例を示す説明図である。
【図１７】ボリュームレンダリング画像に対する処理後画像の同時表示の第２例を示す説明図である。
【図１８】ボリュームレンダリング画像に対する処理後画像の同時表示の第３例を示す説明図である。
【図１９】ボリュームレンダリング画像に対する処理後画像の同時表示の第４例を示す説明図である。
【図２０】ボリュームレンダリング画像に対する処理後画像の同時表示の第５例を示す説明図である。
【図２１】処理履歴の表示の第１例を示す説明図である。
【図２２】処理履歴の表示の第２例を示す説明図である。
【図２３】処理履歴の表示の第３例を示す説明図である。
【図２４】本実施の形態の表示処理部の構成の他の例を示すブロック図である。
【図２５】本実施の形態の表示装置による表示処理の一例を示すフローチャートである。
【図２６】本実施の形態の表示装置による表示処理の一例を示すフローチャートである。
【発明を実施するための形態】
【００１１】
以下、本開示の実施の形態のコンピュータプログラム、記録媒体、表示装置及び表示方法について説明する。図１は本実施の形態の表示システム１００の構成の一例を示すブロック図である。本実施の形態の表示システム１００は、例えば、医用画像処理システムであり、病院又は診療所などの医療機関で撮影および蓄積された医用画像について、診察又は診断時に参照を可能とする。
【００１２】
表示システム１００は、医用画像を管理するサーバ２０、所定の通信ネットワークを介してサーバ２０と接続される複数の情報処理装置１０及び表示装置５０などを備える。なお、図１では便宜上、表示装置５０を一つだけ図示しているが、複数の表示装置５０が、サーバ２０に接続されてもよい。
【００１３】
情報処理装置１０は、医療機関内の複数の治療部門、診療部門又は検査部門等に設置され、所定の電子データの入力処理、記録処理、編集処理及び出力処理などを行うことができる。情報処理装置１０は、周辺装置を含むコンピュータシステムで構成することができ、例えば、放射線システム、電子カルテシステム、内視鏡システム、生理検査システム、心電図システム、検体ラボシステム、薬剤投薬処方システムなどを構成することができる。情報処理装置１０は、画像データ、文書データ、検査データ等の医療情報をサーバ２０へ送信することができる。
【００１４】
サーバ２０は、サーバ２０全体を制御する制御部２１、記憶部２２、通信部２３などを備える。
【００１５】
通信部２３は、情報処理装置１０及び表示装置５０との間の通信機能を有し、所要の情報の送信及び受信を行うことができる。
【００１６】
記憶部２２は、各情報処理装置１０が送信する医療情報を記憶する。記憶部２２は、患者を特定する特定情報毎に医療情報を各患者に対応付けて記憶することができる。
【００１７】
制御部２１は、ＣＰＵ、メモリ（ＲＯＭ、ＲＡＭなど）、メモリに格納されたプログラムなどで構成することができ、記憶部２２に記憶した医療情報を、患者を特定する特定情報に基づいて抽出し、抽出した医療情報を表示するための表示データを生成する。
【００１８】
表示装置５０は、液晶パネルなどの表示画面５１、表示処理部５２、操作入力部５３、通信部５４、記憶部５５などを備える。表示装置５０は、医療機関の医師、技師又は看護師などの医療従事者が、医療情報に係る操作及び閲覧を行うためのものであり、診療、診断の際に使用される。表示装置５０は、周辺装置を含むコンピュータ装置で構成することができるが、画面に対してタッチ操作が可能なタブレット装置でもよい。
【００１９】
なお、表示装置５０は、サーバ２０の機能を内蔵してもよい。例えば、表示装置５０は、サーバ２０を経由せずに情報処理装置１０と直接ネットワークを介して、必要な情報を蓄積して表示することもできる。
【００２０】
また、表示装置５０は、情報処理装置１０の機能を内蔵してもよい。例えば、電子カルテシステムが機能拡張されることにより、表示装置５０に情報処理装置１０の機能を組み込むこともできる。
【００２１】
また、表示装置５０が備える表示画面５１は、一つに限定されず、複数の表示画面（複数の表示デバイス）を備えることもできる。
【００２２】
操作入力部５３は、キーボード、マウス、トラックパッド（タッチパッド）、スタイラスペンなどを含み、医療従事者が、表示画面５１上のアイコン（図形、文字、数字、記号など）又は表示画面５１の所要の箇所を操作（例えば、マウスの場合、左クリック、右クリック、ダブルクリックなど）すると、入力された操作を、当該操作に対応する指令に変換して表示処理部５２へ出力する。
【００２３】
通信部５４は、サーバ２０が送信した表示データを受信する。通信部５４で受信された表示データは、記憶部５５に記憶される。
【００２４】
図２は本実施の形態の表示処理部５２の構成の一例を示すブロック図である。表示処理部５２は、特定条件設定部５２１、画像生成部５２２、事象判定部５２３、及び処理履歴表示部５２４などを備える。表示処理部５２は、ＣＰＵ、メモリ（ＲＯＭ、ＲＡＭなど）、メモリに格納されたプログラムなどで構成することができる。
【００２５】
表示処理部５２は、通信部５４を介してサーバ２０で管理されている医用画像を受信することにより、診察、診断、検査等に必要な医用画像を表示する処理を行う。
【００２６】
医用画像は、例えば、ＣＴ（Computed Tomography）、ＣＲ（Computed Radiology）、ＵＳ（Ultrasonography）、ＭＲＩ（Magnetic Resonance Imaging）、ＶＲ（Volume Rendering）、ＭＰＲ（Multi-Planar Reconstruction）などのデータが含まれる。また、画像には動画像も含まれる。
【００２７】
なお、１つの検査で取得される１枚もしくは複数枚の画像は、一つの画像情報として管理される。一つの画像情報に複数の画像が含まれる場合には、当該複数の画像は、シリーズ画像と称される。シリーズ画像は、例えば、撮影部位が異なる複数の画像で構成される。
【００２８】
次に、表示処理部５２の詳細について説明する。
【００２９】
図３は本実施の形態の表示装置５０の表示画面５１に表示される画像の一例を示す模式図である。図３に示すように、表示画面５１には、画像が表示される画像表示領域２０１、サムネイルなどの画像が表示されるサムネイル領域２０４、画像に対する処理の一覧を表示する処理一覧表示領域２０２、処理に関する値を指定する指定領域２０３などが表示される。なお、画像表示領域２０１、サムネイル領域２０４、処理一覧表示領域２０２、及び指定領域２０３それぞれの表示画面５１上の配置又は大きさ（縦横寸法）は一例であって、図３の例に限定されない。例えば、サムネイル領域２０４の大きさ（縦横の寸法）は、サムネイル領域２０４内に表示される画像の数などに応じて適宜変更される。
【００３０】
処理一覧表示領域２０２には、ＷＷアイコン２０２ａ、ＷＬアイコン２０２ｂ、ＳＰＩＮアイコン２０２ｃ、ＤＯＬＬＹアイコン２０２ｄ、ＲＧＢαアイコン２０２ｅ、ＲＯＩアイコン２０２ｆ、ＳＩＧＮＡＬアイコン２０２ｇ、ＸＹＺアイコン２０２ｈ、ＣＡＭＥＲＡアイコン２０２ｉなどが表示されている。なお、各アイコンは一例であって、図３の例に限定されるものではない。
【００３１】
ＷＷアイコン２０２ａは、ウィンドウ（階調）処理におけるウィンドウ幅（Window Width）を指定するためのアイコンである。すなわち、ＷＷアイコン２０２ａを選択（操作）することにより、ウィンドウ幅を指定する処理を行うことができる。ウィンドウ処理は、ＣＴ画像のように広範囲の信号値のうち特定の範囲を、例えば、０から２５５の濃度域に変換して表示する処理であり、ウィンドウ幅は、当該特定の範囲を指定する。ＷＬアイコン２０２ｂは、ウィンドウ（階調）処理におけるウィンドウ値（Window Level）を指定するためのアイコンである。ＷＬアイコン２０２ｂは、当該特定の範囲の中心値を指定する。
【００３２】
ＳＰＩＮアイコン２０２ｃは、回転処理（２次元上の回転）における回転角度を指定するためのアイコンである。ＤＯＬＬＹアイコン２０２ｄは、拡大処理又は縮小処理における変倍率を指定するためのアイコンである。ＲＧＢαアイコン２０２ｅは、カラーマップにおけるＲＧＢ値（色の値）及び不透明度（オパシティ）の値を調整する処理におけるＲＧＢ値及び不透明度を指定するためのアイコンである。ＲＯＩアイコン２０２ｆは、ボリュームレンダリング処理を行う領域を指定する際の境界座標値を指定するためのアイコンである。
【００３３】
ＳＩＧＮＡＬアイコン２０２ｇは、骨などの所要の部位を抽出する処理において部位を判定する信号値閾値を指定するためのアイコンである。ＸＹＺアイコン２０２ｈは、ボリュームレンダリング画像のＸＹＺ座標上の特定の視点位置（特定の角度）から見た画像に変換して表示する処理において、視点位置を指定するためのアイコンである。ＣＡＭＥＲＡアイコン２０２ｉは、ボリュームレンダリング画像のＸＹＺ座標上の特定の角度から見た画像ではなく、所要の視点位置（カメラの位置）から見た画像に変換して表示する処理において、視点位置を指定するためのアイコンである。
【００３４】
指定領域２０３には、基準値を指定する基準値アイコン２０３ａ、範囲を指定する範囲アイコン２０３ｂ、指定した基準値又は範囲を適用するための適用アイコン２０３ｃ、処理を取り消すための取消アイコン２０３ｄなどが表示される。なお、各アイコンは一例であって、図３の例に限定されるものではない。基準値アイコン２０３ａは、処理に関する基準値を指定することができる。基準値の指定は、数値などを入力してもよく、あるいは数値を選択するメニューを表示して指定するようにしてもよい。範囲アイコン２０３ｂは、処理に関する範囲を指定することができる。範囲の指定は、例えば、上限値、下限値、あるいは上限値及び下限値を指定することができ、数値などを入力してもよく、あるいは数値を選択するメニューを表示して指定するようにしてもよい。
【００３５】
特定条件設定部５２１は、画像表示領域２０１に表示された画像又はサムネイル領域２０４に表示された画像から選択された画像に対する第１の処理の指定に基づいて当該第１の処理の内容を特定する複数の特定条件を設定する。画像に対する処理は、例えば、処理一覧表示領域２０２に表示されるアイコンを操作して行われる処理である。処理の内容を特定する特定条件は、当該処理を行う際の処理条件を定めるパラメータを含む。
【００３６】
画像生成部５２２は、特定条件設定部５２１で特定した複数の特定条件それぞれに基づく処理結果後の画像をそれぞれ出力する。すなわち、複数の条件に基づく画像をそれぞれ出力する。具体的には、画像生成部５２２は、複数の特定条件それぞれに基づく処理を行い、処理後の画像をそれぞれ生成して、生成した複数の画像を記憶部５５に記憶するとともに、サムネイル領域２０４に表示することができる。
【００３７】
図４はウィンドウ幅の基準値を指定した処理後の画像の一例を示す説明図である。図４の例では、ウィンドウ幅（ＷＷ）を指定する際に、ウィンドウ幅の基準値を指定している。特定条件設定部５２１は、処理に関する基準値の指定に基づいて当該基準値を含む所定の範囲内に複数の特定条件を設定する。図４の例では、基準値として、ＷＷ＝４００を指定することにより、ＷＷが、基準値である４００を含む２００から６００までの所定の範囲内において、５０の間隔で特定されている。２００から６００までの各ＷＷの値が特定条件である。なお、各ＷＷの値に対応つけて模式的に図示している画像は、一例であって、実際のＷＷ値を必ずしも正確に反映しているものではない。
【００３８】
このように、処理の内容を特定する特定条件のうち、基準値となる特定条件を指定することにより、当該特定条件を含む所定の範囲内に複数の特定条件を設定することができる。２００から６００までの所定の範囲は、基準値に対して予め定めておくこともでき、基準値に応じて所定の範囲の広狭を変えるようにしてもよい。
【００３９】
画像生成部５２２は、ＷＷが２００から６００までの各値を用いてウィンドウ処理を行った結果の画像を結果候補としてサムネイル領域２０４に表示する。
【００４０】
上述の構成により、処理の内容を特定する基準値を決めるだけで複数の特定条件を設定することができ、作業性が向上する。
【００４１】
図５はウィンドウ幅の上限値及び下限値を指定した処理後の画像の一例を示す説明図である。図５の例では、ウィンドウ幅を指定する際に、ウィンドウ幅の下限値（ＷＷ＝２００）及び上限値（ＷＷ＝６００）を指定している。特定条件設定部５２１は、処理に関する範囲の指定に基づいて当該範囲内に複数の特定条件を設定する。範囲の指定は、上限値でもよく、下限値でもよく、上限値及び下限値でもよい。図５の例では、下限値として、ＷＷ＝２００を指定し、上限値として、ＷＷ＝６００を指定することにより、ＷＷが、２００から６００までの範囲内において、５０の間隔で特定されている。２００から６００までの各ＷＷの値が特定条件である。図５の例では、複数表示された画像（結果候補）の中で、医療従事者が最適と考える、ＷＷ値＝２５０の画像を選択することができることを表している。なお、各ＷＷの値に対応つけて模式的に図示している画像は、一例であって、実際のＷＷ値を必ずしも正確に反映しているものではない。
【００４２】
このように、処理の内容を特定する特定条件のうち、上限値及び下限値となる特定条件を指定することにより、当該特定条件を含む範囲内に複数の特定条件を設定することができる。範囲内に特定する特定条件の数は、予め定めておくこともでき、上限値又は下限値に応じて多少を変えるようにしてもよい。
【００４３】
画像生成部５２２は、ＷＷが２００から６００までの各値を用いてウィンドウ処理を行った結果の画像を結果候補としてサムネイル領域２０４に表示する。
【００４４】
上述の構成により、処理の内容を特定する範囲を決めるだけで複数の特定条件を設定することができ、作業性が向上する。
【００４５】
上述のように、一つの処理を指定すれば、処理の内容を特定する特定条件が複数設定され、複数の特定条件それぞれに基づいて処理された結果の画像がそれぞれ出力されるので、表示条件を決めるパラメータを一つずつ試行錯誤する必要がなく、希望の結果が得られるまでの実行回数を削減して、効率よく最適な結果を得ることができる。
【００４６】
また、特定条件設定部５２１は、画像に対する第２の処理の指定に基づいて第２の処理の内容を特定する複数の特定条件を設定する。ここで、第２の処理は、第１の処理と異なる処理である。
【００４７】
画像生成部５２２は、第１の処理の内容を特定する複数の特定条件それぞれと第２の処理の内容を特定する複数の特定条件それぞれとの組み合わせによって得られる複数の組み合わせ特定条件に基づく処理結果後の画像をそれぞれ出力する。画像を表示画面に表示する際に行われる処理が一つではなく、異なる処理を同時に行うことができる場合、それぞれの処理の内容を特定する複数の特定条件同士を組み合わせた組み合わせ特定条件に基づいて、異なる処理を同時に行うためのパラメータを決定することができる。
【００４８】
具体的には、画像生成部５２２は、組み合わせ特定条件に基づく処理を行い、処理後の画像をそれぞれ生成して、サムネイル領域２０４に表示することができる。
【００４９】
図６はウィンドウ幅及びウィンドウ値を指定した処理後の画像の一例を示す説明図である。ここで、ウィンドウ幅（ＷＷ）が第１の処理の内容とすると、ウィンドウ値（ＷＬ）が第２の処理の内容である。図６の例では、便宜上、ＷＷ＝２００、３００、４００の３つの特定条件と、ＷＬ＝−２００、０、＋２００の３つの特定条件との組み合わせによって得られる９つの組み合わせ特定条件に基づく処理結果後の９つの画像が表示されている。なお、本明細書において、各ＷＷ及びＷＬの値に対応つけて図示している画像は、便宜上、各ＷＷ及びＷＬの値を正確に反映するものではないが、実際の画像は、各ＷＷ値及びＷＬ値を正確に反映している。
【００５０】
図７はＳＰＩＮ及びＤＯＬＬＹを指定した処理後の画像の一例を示す説明図である。ここで、ＳＰＩＮが第１の処理の内容とすると、ＤＯＬＬＹが第２の処理の内容である。図７の例では、便宜上、ＳＰＩＮ＝−９０°、−４５°、０、＋４５°、＋９０°の５つの特定条件と、ＤＯＬＬＹ＝ｘ０．２５、ｘ０．５、ｘ１．０、ｘ２．０、ｘ４．０の５つの特定条件との組み合わせによって得られる２０個の組み合わせ特定条件に基づく処理結果後の２５個の画像が表示されている。
【００５１】
上述の構成により、異なる処理それぞれを指定すれば、異なる処理を同時に行うための組み合わせ特定条件が複数設定され、複数の組み合わせ特定条件それぞれに基づいて処理された結果の画像がそれぞれ出力されるので、表示条件を決めるパラメータを一つずつ試行錯誤する必要がなく、効率よく最適な結果を得ることができる。また、複数の種類の処理の結果を確認しつつ実行ができ、処理試行回数及び操作回数を削減することができる。
【００５２】
図８は特定条件の使用頻度の第１表示例を示す説明図である。処理後の画像は、図６の場合と同様である。図８では、特定条件又は組み合わせ特定条件の使用頻度に応じて処理後の画像を異なる態様で表示している。例えば、ＷＷ＝３００及びＷＬ＝−２００の組み合わせ特定条件、ＷＷ＝４００及びＷＬ＝＋２００の組み合わせ特定条件の使用頻度が高いので、画像の背景又は枠の色が濃くなるように表示する。また、ＷＷ＝４００及びＷＬ＝０の組み合わせ特定条件、及びＷＷ＝２００及びＷＬ＝０の組み合わせ特定条件の使用頻度がやや高いので、画像の背景又は枠の色がやや濃くなるように表示する。また、ＷＷ＝４００及びＷＬ＝−２００の組み合わせ特定条件、ＷＷ＝３００及びＷＬ＝０の組み合わせ特定条件、ＷＷ＝２００及びＷＬ＝＋２００の組み合わせ特定条件、及びＷＷ＝３００及びＷＬ＝＋２００の組み合わせ特定条件の使用頻度がやや低いので、画像の背景又は枠の色がやや薄くなるように表示する。
【００５３】
図９は特定条件の使用頻度の第２表示例を示す説明図である。処理後の画像は、図７の場合と同様である。図９では、特定条件又は組み合わせ特定条件の使用頻度に応じて処理後の画像を異なる態様で表示している。図８と異なる点は、使用頻度に応じて、画像の背景又は枠の色が異なるように表示することができる。図９の例では、便宜上、各模様が、赤色、緑色、青色に対応するものとし、使用頻度が高い場合、赤色で表示し、使用頻度が中程度の場合、緑色で表示し、使用頻度が低い場合、青色で表示することができる。なお、図示していないが、特定条件の使用頻度についても、組み合わせ特定条件の使用頻度と同様である。
【００５４】
上述のように、画像生成部５２２は、複数の特定条件又は組み合わせ特定条件の使用頻度に応じて、異なる表示態様になるように処理結果後の画像を複数出力することができる。異なる表示態様は、例えば、画像の背景又は枠などの濃淡を変えること、色を変えることを含み、使用頻度が高いほど、目立つ態様で表示することができる。
【００５５】
上述の構成により、処理の内容を特定する特定条件又は組み合わせ特定条件の使用頻度を視覚化することができ、例えば、どのような特定条件又は組み合わせ特定条件を用いれば、最適な結果が得られるのかを過去の処理に基づいて判断することができるので、最適な処理の内容に至るまでの時間を短縮することができる。
【００５６】
なお、上述のような、特定条件又は組み合わせ特定条件の使用頻度の視覚化は、医師などの医療従事者個人だけでなく、グループ内で複数の医療従事者が共有することができるように、医師毎にデータベース化してもよい。また、人体の部位毎、あるいは症状毎にデータベース化して、複数の医療従事者間で共有するようにしてもよい。
【００５７】
次に、特定条件又は組み合わせ特定条件の更新（再設定）について説明する。
【００５８】
図１０は特定条件の更新の第１例を示す説明図である。図１０において、左側の図は更新前を示し、右側の図は更新後を示す。左側の図は、ＳＰＩＮ＝−９０°、０、＋９０°の３つの特定条件と、ＤＯＬＬＹ＝ｘ０．２５、ｘ１．０、ｘ４．０の３つの特定条件との組み合わせによって得られる９個の組み合わせ特定条件に基づく処理結果後の９個の画像が表示されている。図１０において、９個の画像のうち一の画像（図１０では、ＳＰＩＮ＝９０°、及びＤＯＬＬＹ＝ｘ１．０の各特定条件に基づく処理後の画像）が選択されたとする。この場合、選択された画像に対応する特定条件を基準値として、当該基準値を含む所定の範囲内に所定数の特定条件を設定する。図１０の例では、選択された画像のＳＰＩＮ＝９０°を基準値として、ＳＰＩＮ＝０を割り当て、基準値を含む範囲（ＳＰＩＮ＝−９０°とＳＰＩＮ＝９０°との範囲）内に３つの特定条件を設定している。
【００５９】
なお、選択された画像のＤＯＬＬＹはｘ１．０であり、範囲内の中心値なので、ＤＯＬＬＹについての特定条件は更新されていない。仮に、ＤＯＬＬＹ＝ｘ０．２５の画像が選択された場合、選択された画像のＤＯＬＬＹ＝ｘ０．２５を基準値として、ＤＯＬＬＹ＝ｘ１．０を割り当て、基準値を含む範囲（ＤＯＬＬＹ＝ｘ０．２５°とＤＯＬＬＹ＝ｘ４．０との範囲）内に３つの特定条件を設定することができる。
【００６０】
上述のように、特定条件設定部５２１は、表示された複数の画像のうちの一の画像が選択された場合、選択された画像に対応する特定条件を基準値とし、当該基準値を含む範囲に複数の特定条件を設定する。
【００６１】
上述の構成により、処理結果後の画像がそれぞれ表示された場合、表示された複数の画像の中で最適な結果に近いと考えられる画像を選択するだけで、同画像の特定条件を中心にさらに周辺の複数の特定条件に基づく処理結果後の画像を比較検討し、より最適な結果に近い画像を簡単に探索することができる。結果として、最適な処理の内容に至るまでの時間を短縮することができる。
【００６２】
図１１は特定条件の更新の第２例を示す説明図である。図１１において、左側の図は更新前を示し、右側の図は更新後を示す。左側の図は、ＳＰＩＮ＝−９０°、０、＋９０°の３つの特定条件と、ＤＯＬＬＹ＝ｘ０．２５、ｘ１．０、ｘ４．０の３つの特定条件との組み合わせによって得られる９個の組み合わせ特定条件に基づく処理結果後の９個の画像が表示されている。図１１において、９個の画像のうち一の画像（図１１では、ＳＰＩＮ＝９０°、及びＤＯＬＬＹ＝ｘ１．０の各特定条件に基づく処理後の画像）が選択されたとする。この場合、選択された画像に対応する特定条件を基準値として、当該基準値を含む範囲内に特定条件を設定する。図１１の例では、図１０の例と異なり、複数の特定条件を設定する範囲を狭くしている。すなわち、選択された画像のＳＰＩＮ＝９０°を基準値として、ＳＰＩＮ＝０を割り当て、基準値を含む範囲（ＳＰＩＮ＝−４５°とＳＰＩＮ＝４５°との範囲）内に３つの特定条件を設定している。また、同様に、選択された画像のＤＯＬＬＹ＝ｘ１．０を基準値として、ＤＯＬＬＹ＝ｘ１．０を割り当て、基準値を含む範囲（ＤＯＬＬＹ＝ｘ０．５とＤＯＬＬＹ＝ｘ２．０との範囲）内に３つの特定条件を設定している。
【００６３】
上述のように、特定条件設定部５２１は、表示された複数の画像のうちの一の画像が選択された場合、選択された画像に対応する特定条件を基準値とし、当該基準値を含む範囲を元の範囲よりも狭い範囲にして複数の特定条件を設定することができる。また、特定条件設定部５２１は、表示された複数の画像のうちの一の画像が選択された場合、選択された画像に対応する特定条件を基準値とし、当該基準値を含む範囲を元の範囲よりも広い範囲にして複数の特定条件を設定してもよい。すなわち、特定条件設定部５２１は、表示された複数の画像のうちの一の画像に対する操作に応じて、複数の特定条件を設定する範囲を変更することができる。
【００６４】
図１２は特定条件の更新の第３例を示す説明図である。図１２において、左側の図は、図１０及び図１１と同様である。図１２の左側の図において、９個の画像のうち一の画像（図１２では、ＳＰＩＮ＝９０°、及びＤＯＬＬＹ＝ｘ１．０の各特定条件に基づく処理後の画像）が選択され、選択された画像に対して、所定の操作を行った場合、当該操作に応じて、複数の特定条件を更新（再設定）することができる。なお、図１２では、便宜上、画像を図示していないが、実際には画像は表示されている。
【００６５】
図１２の例では、所定の操作は、選択した画像上で上方向、下方向、右方向及び左方向にカーソル又は画像上を移動する操作であるが、所定の操作は図１２の例に限定されない。図１２の右側の図に示すように、選択された画像に対して上方向の移動操作が行われた場合、ＤＯＬＬＹの範囲は、ｘ０．１０からｘ６．０までの如く範囲を広くする。また、選択された画像に対して下方向の移動操作が行われた場合、ＤＯＬＬＹの範囲は、ｘ０．５からｘ２．０までの如く範囲を狭くする。また、選択された画像に対して右方向の移動操作が行われた場合、ＳＰＩＮの範囲は、−１２０°から＋１２０°までの如く範囲を広くする。また、選択された画像に対して左方向の移動操作が行われた場合、ＳＰＩＮの範囲は、−４５°から＋４５°までの如く範囲を狭くする。
【００６６】
上述のように、特定条件設定部５２１は、選択された一の画像に対する操作の内容に応じて、複数の特定条件を設定する範囲の広狭を決定することができる。例えば、表示された複数の画像の中で最適な結果に近いと考えられる画像を選択し、選択した画像に対して、所定の操作を行うことにより、複数の特定条件を設定する範囲を通常設定される所定の範囲よりも広くし、あるいは狭くすることができる。
【００６７】
上述の構成により、処理結果後の複数の画像が表示された場合、複数の画像の中の所望の画像に対して、特定条件の範囲を広くして処理結果を確認すること、あるいは特定条件の範囲を狭くして処理結果を確認することができ、最適な処理の内容に至るまでの時間を短縮することができる。
【００６８】
図１３は特定条件の更新の第４例を示す説明図である。図１３において、左側の図は更新前を示し、右側の図は更新後を示す。左側の図は、図１１の場合と同様であり、ＳＰＩＮ＝−９０°、０、＋９０°の３つの特定条件と、ＤＯＬＬＹ＝ｘ０．２５、ｘ１．０、ｘ４．０の３つの特定条件との組み合わせによって得られる９個の組み合わせ特定条件に基づく処理結果後の９個の画像が表示されている。なお、図１３では、便宜上、画像を図示していないが、実際には画像は表示されている。図１３において、９個の画像のうち一の画像（図１３では、ＳＰＩＮ＝９０°、及びＤＯＬＬＹ＝ｘ１．０の各特定条件に基づく処理後の画像）が選択されたとする。この場合、選択された画像に対応する特定条件を基準値として、設定する特定条件の数を変更する。図１３の例では、右側の図に示すように、ＳＰＩＮ＝−９０°、−４５°、０、＋４５°、＋９０°の５つの特定条件と、ＤＯＬＬＹ＝ｘ０．２５、ｘ０．５、ｘ１．０、ｘ２．０、ｘ４．０の５つの特定条件との組み合わせによって得られる２５個の組み合わせ特定条件に基づく処理結果後の２５個の画像が表示されている。
【００６９】
上述のように、特定条件設定部５２１は、表示された複数の画像のうちの一の画像に対する操作に応じて、設定する特定条件の数を変更することができる。具体的には、特定条件設定部５２１は、表示された複数の画像のうちの一の画像が選択された場合、選択された画像に対応する特定条件を基準値とし、元の特定条件の数よりも多い数の特定条件を設定してもよく、元の特定条件の数よりも少ない数の特定条件を設定してもよい。
【００７０】
上述の構成により、処理結果後の画像がそれぞれ表示された場合、表示された複数の画像の中の所望の画像に対して、設定する特定条件の数を増やして処理結果を確認すること、あるいは、設定する特定条件の数を減らして処理結果を確認することができ、最適な処理の内容に至るまでの時間を短縮することができる。
【００７１】
図１４は特定条件の更新の第５例を示す説明図である。図１４において、上側の図は更新前を示し、下側の図は更新後を示す。上側の図は、ＷＷ＝１００から５００までの５つの特定条件に基づく処理結果後の５個の画像が表示されている。図１４において、例えば、ＷＷ＝４００の画像と、ＷＷ＝５００の画像の２つの画像が選択されたとする。この場合、選択された画像それぞれの特定条件を範囲として、当該範囲内に特定条件を設定する。図１４の例では、ＷＷ＝４００とＷＷ＝５００とを範囲として、当該範囲内に、ＷＷ＝４００、４２５、４５０、４７５、及び５００の５つの特定条件が設定されている。
【００７２】
図１５は特定条件の更新の第６例を示す説明図である。図１５において、上側の図は更新前を示し、下側の図は更新後を示す。上側の図は、ＷＷ＝１００から５００までの５つの特定条件に基づく処理結果後の５個の画像が表示されている。図１５において、例えば、ＷＷ＝２００の画像と、ＷＷ＝４００の画像の２つの画像が選択されたとする。この場合、選択された画像それぞれの特定条件を範囲として、当該範囲内に特定条件を設定する。図１５の例では、ＷＷ＝２００とＷＷ＝４００とを範囲として、当該範囲内に、ＷＷ＝２００、２５０、３００、３５０、及び４００の５つの特定条件が設定されている。
【００７３】
上述のように、特定条件設定部５２１は、表示された複数の画像のうちの複数（例えば、２つ）の画像が選択された場合、選択された複数の画像に対応する特定条件を範囲とし、当該範囲に複数の特定条件を設定する。
【００７４】
上述の構成により、処理結果後の複数の画像が表示された場合、複数の画像の中で２つの画像の間の特定条件をさらに詳細に特定することができるので、最適な処理の内容に至るまでの時間を短縮することができる。また、図１４及び図１５に示すように、選択する２つの画像が近いほど、細かい間隔（図１４の例では間隔が２５であるのに対し、図１５の例では間隔は５０である）の特定条件を設定することができ、選択する２つの画像の位置を変えることにより、更新する特定条件の間隔を調整することができる。
【００７５】
なお、図示していないが、図７のように、２つの処理の内容を特定する特定条件（例えば、ＳＰＩＮ及びＤＯＬＬＹ）に基づく画像がマトリクス状に配置されて表示されている場合、縦方向及び横方向に並んだ２つの画像を選択することもでき、斜め方向に並んだ２つの画像を選択することもできる。
【００７６】
次に、ボリュームレンダリング（ＶＲ）画像に対する処理後の画像を同時に表示する例について説明する。
【００７７】
図１６はボリュームレンダリング画像に対する処理後画像の同時表示の第１例を示す説明図である。図１６において、左側の図は、例えば、図３の画像表示領域２０１に表示することができる。図３に示す処理一覧表示領域２０２のＸＹＺアイコン２０２ｈを操作することにより、図１６の右側の６つの画像をサムネイル領域２０４に表示することができる。図１６の例では、ボリュームレンダリング画像のＸＹＺ座標上の特定の視点位置として、前、後、上、下、左、右から見た画像が表示されている。この場合、特定条件設定部５２１は、複数の視点位置（例えば、前、後、上、下、左、右）を特定する。
【００７８】
このように、同時に指定した角度から見た画像を同時に表示するので、ボリュームレンダリング画像に対するフィルタ（例えば、領域の指定、部位又は物体の抽出など）の変更が、指定した複数の角度から見た画像を同時に直ちに反映され、操作時間や確認時間を短縮することができる。
【００７９】
図１７はボリュームレンダリング画像に対する処理後画像の同時表示の第２例を示す説明図である。図１７において、左側の図は、例えば、図３の画像表示領域２０１に表示することができる。図３に示す処理一覧表示領域２０２のＣＡＭＥＲＡアイコン２０２ｉを操作することにより、図１７の右側の６つの画像をサムネイル領域２０４に表示することができる。図１７の例では、ボリュームレンダリング画像を、特定の視点位置としてのカメラ１からカメラ６の６つのカメラから見た画像が表示されている。この場合、特定条件設定部５２１は、複数の視点位置（例えば、カメラ１から６までの各位置）を特定する。
【００８０】
このように、ボリュームレンダリング画像の固定角度（図１６の例）を表示するのではなく、複数のカメラ位置を固定し、各カメラの視点から見た画像を同時に表示する。これにより、複数の視点から同時に見ることができ、ボリュームレンダリング画像の回転操作を減らすことができ、作業時間を削減することができる。
【００８１】
上述のように、画像生成部５２２は、複数の視点位置に基づく処理結果後の複数の画像を表示する。これにより、例えば、ボリュームレンダリング画像に対して、同時に特定した複数の視点位置から見た画像を同時に表示することができ、操作時間、画像の確認時間を短縮することができる。
【００８２】
図１８はボリュームレンダリング画像に対する処理後画像の同時表示の第３例を示す説明図である。図示していないが、部位の抽出処理を指定することにより、特定条件設定部５２１は、例えば、胃、心臓、肺、肝臓、大腸、及び小腸を特定条件として設定することができる。なお、各部位の抽出処理は、画像内の座標位置に基づいて抽出する方法、形状解析を行って抽出する方法など適宜の方法を用いることができる。
【００８３】
画像生成部５２２は、抽出された各部位の画像をサムネイル領域２０４に表示することができる。抽出した各部位に対して、調整したカラーマップを適用することにより、各部位に対する適用結果を同時に表示することができるとともに、所望の部位を一層はっきりと表示させることが可能となる。これにより、部位の切り替えに要する操作を削減して、操作時間又は画像の確認時間を短縮することができる。
【００８４】
図１９はボリュームレンダリング画像に対する処理後画像の同時表示の第４例を示す説明図である。図１９に示す６つの画像は、図１７の例と同様である。事象判定部５２３は、複数の視点位置に基づく処理結果後の複数の画像中に所定の事象の有無を判定する。所定の事象は、例えば、骨折などの異常事象とすることができ、所定の事象は、予め所定の画像処理で判定することができる。図１９の例では、カメラ６から見た画像に骨折があると判定されている。
【００８５】
画像生成部５２２は、事象判定部５２３で事象があると判定された画像を、他の画像（事象がない画像）と異なる態様で表示する。異なる態様は、例えば、図１９に示すように、カメラ６から見た画像に警告（アラート）を表示してもよく、画像に枠を表示してもよく、あるいは、画像の背景又は枠を点滅表示してもよい。
【００８６】
上述の構成により、複数の視点位置の画像が同時に表示され、そのうちの一つの画像中に所定の事象がある場合、直ちに事象の有無を確認することができるので、視点位置を変えた画像を一つずつ表示する場合に比べて、操作時間を短縮することができる。
【００８７】
図２０はボリュームレンダリング画像に対する処理後画像の同時表示の第５例を示す説明図である。図２０では、図１６に示す表示例に、さらにＭＰＲ（Multi-Planar Reconstruction）画像を表示している。ＭＰＲ画像は、体に水平な体軸断面（アキシャル断面、axial断面）、縦切りの矢状断面（サジタル断面、sagittal断面）、及び横切りの冠状断面（コロナル断面、coronal断面）の３つの断面画像で構成される。また、ボリュームレンダリング画像内に、アキシャル断面、サジタル断面及びコロナル断面を表示している。
【００８８】
すなわち、画像生成部５２２は、ボリュームレンダリング画像を表示し、視点位置に基づく処理結果後の画像に対応する所定の断面（アキシャル断面、サジタル断面及びコロナル断面）での断面画像（ＭＰＲ画像）を表示し、当該断面をボリュームレンダリング画像内に表示する。
【００８９】
上述の構成により、視点位置に基づく処理結果後の画像が、ボリュームレンダリング画像に対して、どの断面で見ている画像であるのかが明確になり、ボリュームレンダリング画像を診断の補助に利用することができる。
【００９０】
また、画像生成部５２２は、ボリュームレンダリング画像内の断面に対する操作に応じて断面画像を更新して表示することができる。例えば、ボリュームレンダリング画像内のコロナル断面を移動することにより、コロナル断面画像が更新（例えば、移動又は回転など）される。アキシャル断面及びサジタル断面についても同様である。これにより、ボリュームレンダリング画像と断面画像との連携を高めることができ、ボリュームレンダリング画像を診断の補助に利用することができる。なお、ボリュームレンダリング画像内の断面の移動中は、ボリュームレンダリング画像を透過表示又はワイヤー表示することができる。
【００９１】
次に、処理履歴の視覚化（ツリー化）について説明する。
【００９２】
図２１は処理履歴の表示の第１例を示す説明図である。図２１に示す画像は、それぞれの処理に対応して設定された複数の特定条件に基づく複数の画像の中から選択された画像であるとする。図２１では、一連の処理を符号ａ１からａ５及びｂ１からｂ４で表す。ここで、処理ｂ１、ｂ２、ｂ３、ｂ４は、その操作が取り消され元の状態に戻された処理である。例えば、処理ｂ１、ｂ２は取り消されて処理ａ２に戻ったことを示す。また、処理ｂ３、ｂ４は取り消されて処理ａ４に戻ったことを示す。
【００９３】
一般的には、取り消された処理は履歴から消えてしまい、処理履歴には残らない場合がある。しかし、本実施の形態では、処理履歴表示部５２４は、画像に対する一連の処理の指定に基づいて、各処理の内容を特定する複数の特定条件の中から選択された特定条件に基づく処理結果後の画像を、一連の処理毎に記憶するとともに表示することができる。
【００９４】
例えば、一つの処理（例えば、図２１の処理ｂ１）を指定して、当該処理の内容を特定する複数の特定条件それぞれに基づく処理結果後の画像を複数表示し、複数表示された画像の中から一の画像が選択された場合、選択された画像（処理ｂ１に対応する画像）及び当該画像に対応する特定条件（図２１の例では、Pan(x-100, y-100)）を記憶することができる。
【００９５】
次に、当該一の処理（例えば、図２１の処理ｂ１）を取り消して、新しく別の処理（例えば、図２１の処理ａ２）を指定して、当該別の処理の内容を特定する複数の特定条件それぞれに基づく処理結果後の画像を複数表示し、複数表示された画像の中から一の画像が選択された場合、選択された画像（処理ａ２に対応する画像）及び当該画像に対応する特定条件（dolly(x0.3)）を記憶することができる。
【００９６】
上述の構成により、一つの処理を行った後に、当該処理を取り消して別の処理を行った場合でも、一連の処理毎に、各処理の内容を特定する複数の特定条件の中から選択された特定条件に基づく処理結果後の画像を記憶しておくことにより、処理履歴を表示することができ、以前に行った処理の内容を再現することができる。例えば、図２１の例では、最新の結果である、処理ａ５に対応する画像から、戻したい結果である、処理ｂ３に対応する画像に簡単に戻ることができる。また、処理の履歴を文字などでリスト表示する場合に比べて、一連の処理結果後の画像が履歴として表示されるので、戻したい処理又は画像を直感的に見つけることができ、操作性の向上や処理時間の短縮を図ることができる。
【００９７】
図２２は処理履歴の表示の第２例を示す説明図である。図２２では、実際に行われた一連の処理を符号ａ１からａ５、ｂ２、及びｃ２で表す。ここで、処理ｂ２及びｃ２は、その操作が取り消され元の状態に戻された処理である。例えば、処理ｂ２、ｃ２は取り消されて処理ａ２に戻ったことを示す。また、処理ｂ３からｂ５、及びｃ３からｃ５は、医療従事者が指定した処理ではなく、処理履歴表示部５２４が自動的に行った処理である。
【００９８】
すなわち、処理履歴表示部５２４は、画像に対する一連の処理の指定に基づいて、各処理の内容を特定する複数の特定条件の中から選択された各特定条件の組み合わせによって得られる組み合わせ特定条件に基づく処理結果後の画像を記憶するとともに表示する。
【００９９】
各特定条件の組み合わせによって得られる組み合わせ特定条件は、実施に指定された処理の内容を特定する複数の特定条件の中から選択された特定条件だけではなく、実際には指定されていない処理の内容を特定する特定条件も含まれる。
【０１００】
例えば、図２２に示すように、処理ａ２の次に、順番に処理ａ３、ａ４及びａ５が行われた場合、処理ａ２の前に取り消された処理ｂ２によって得られた画像に対しても、処理ａ３、ａ４及びａ５と同様の処理ｂ３、ｂ４及びｂ５が順番に行われ、処理結果後の選択された画像及び当該画像に対応する特定条件が記憶されるとともに表示される。同様に、処理ａ２の前に取り消された処理ｃ２によって得られた画像に対しても、処理ａ３、ａ４及びａ５と同様の処理ｃ３、ｃ４及びｃ５が順番に行われ、処理結果後の選択された画像及び当該画像に対応する特定条件が記憶されるとともに表示される。
【０１０１】
上述の構成により、実際に処理を指定していない場合でも、一連の処理の中で特定された各特定条件の組み合わせによって得られる組み合わせ特定条件に基づく処理結果を確認することができ、効率よく最適な結果を得ることができる。図２２の例では、最新の結果である、処理ａ５に対応する画像から、理想的な結果である、処理ｂ５に対応する画像に簡単に到達することができる。また、医療従事者がより良い結果が得られると考えて行った一連の処理と異なる処理の方が最適な結果であったようなときでも、その最適な結果を簡単に見つけることができ、操作性の向上や処理時間の短縮を図ることができる。
【０１０２】
図２３は処理履歴の表示の第３例を示す説明図である。図２３では、履歴経路を視覚化する例を示す。すなわち、処理履歴表示部５２４は、画像に対する一連の処理の指定の順序を示す指定順序識別子を表示する。図２３の例では、太線の矢印が図示されている。これにより、最適な結果に至るまでの処理の順番を視覚化することができ、同様の画像に対して最適な処理結果を得るまでの手順を提供することができる。例えば、体の様々な部位のうち同じ様な部位に対して、同様な手順で処理を行うことにより、短時間に理想的な結果を得ることが可能となる。また、このような履歴経路を部位毎にデータベース化して共用すれば、他の医療従事者が同じような部位を見る際の有用な情報とすることができる。
【０１０３】
図２４は本実施の形態の表示処理部５２の構成の他の例を示すブロック図である。図２４に示すように、表示処理部５２は、ＣＰＵ５２６、ＲＯＭ５２７、ＲＡＭ５２８、記録媒体読取部５２９などで構成することができる。記録媒体１に記録されたコンピュータプログラムを記録媒体読取部５２９で読み取ってＲＡＭ５２８に格納することができる。ＲＡＭ５２８に格納されたコンピュータプログラムをＣＰＵ５２６で実行させることにより、特定条件設定部５２１、画像生成部５２２、事象判定部５２３、及び処理履歴表示部５２４で行う処理を実行することができる。なお、ＣＰＵ５２６は、プロセッサ、プロセッサデバイス、プロセッシングユニットなどの総称とし、１又は複数で構成することができる。また、コンピュータプログラムは、記録媒体読取部５２９で読み取る構成に代えて、インターネットなどのネットワークを介してダウンロードすることもできる。
【０１０４】
次に、本実施の形態の表示装置５０の動作について説明する。
【０１０５】
図２５及び図２６は本実施の形態の表示装置５０による表示処理の一例を示すフローチャートである。以下では、便宜上処理の主体を表示処理部５２として説明する。表示処理部５２は、医用画像を特定する（Ｓ１１）。医用画像の特定は、例えば、医療従事者が、操作入力部５３から医用画像を特定する情報を入力、あるいは表示画面５１に表示された医用画像の一覧から所要の医用画像を選択することにより行うことができる。
【０１０６】
表示処理部５２は、特定された医用画像をサーバ２０から取得する（Ｓ１２）。取得した医用画像は記憶部５５に記憶することができる。表示処理部５２は、医用画像を表示する（Ｓ１３）。医用画像の表示は、例えば、図３に例示したものであるが、これに限定されない。
【０１０７】
表示処理部５２は、第１の処理の指定の有無を判定し（Ｓ１４）、指定がない場合（Ｓ１４でＮＯ）、ステップＳ１４の処理を続ける。指定があった場合（Ｓ１４でＹＥＳ）、表示処理部５２は、第１の処理の内容を特定する複数の特定条件を設定する（Ｓ１５）。
【０１０８】
表示処理部５２は、第２の処理の指定の有無を判定し（Ｓ１６）、指定があった場合（Ｓ１６でＹＥＳ）、第２の処理の内容を特定する複数の特定条件を設定し（Ｓ１７）、第１の処理の特定条件及び第２の処理の特定条件による組み合わせ特定条件に基づく処理結果後の複数の画像を表示し（Ｓ１８）、後述のステップＳ２０の処理を行う。
【０１０９】
指定がない場合（Ｓ１６でＮＯ）、表示処理部５２は、第１の処理の特定条件に基づく処理結果後の複数の画像を表示する（Ｓ１９）。表示処理部５２は、特定条件の更新操作の有無を判定し（Ｓ２０）、更新操作があった場合（Ｓ２０でＹＥＳ）、特定条件を更新し（Ｓ２１）、更新した特定条件に基づく処理結果後の複数の画像を表示し（Ｓ２２）、後述のステップＳ２３の処理を行う。
【０１１０】
特定条件の更新操作がない場合（Ｓ２０でＮＯ）、表示処理部５２は、表示された複数の画像の選択操作の有無を判定する（Ｓ２３）。選択操作があった場合（Ｓ２３でＹＥＳ）、表示処理部５２は、選択された画像及び当該画像に対応する特定条件を記憶し（Ｓ２４）、後述のステップＳ２５の処理を行う。
【０１１１】
選択操作がない場合（Ｓ２３でＮＯ）、表示処理部５２は、処理履歴の表示操作の有無を判定し（Ｓ２５）、表示操作があった場合（Ｓ２５でＹＥＳ）、処理履歴を表示し（Ｓ２６）、後述のステップＳ２７の処理を行う。
【０１１２】
表示操作がない場合（Ｓ２５でＮＯ）、表示処理部５２は、処理を終了するか否かを判定し（Ｓ２７）、処理を終了しない場合（Ｓ２７でＮＯ）、ステップＳ１４以降の処理を続け、処理を終了する場合（Ｓ２７でＹＥＳ）、処理を終了する。
【０１１３】
上述のように、本実施の形態によれば、例えば、３Ｄワークステーション上での撮影画像又はボリュームレンダリング画像、あるいはＰＡＣＳ（Picture Archiving and Communication Systems）又はＣＡＤ（computer-aided diagnosis）等の医療画像を表示する医療システムにおいて、パラメータを指定した最適な処理結果を効率的に選択することができる。
【０１１４】
また、本実施の形態によれば、様々な処理結果について数値のみでは想定しにくい結果を、処理結果後の複数の画像を表示することで最適な結果を得るまでの時間を短縮することができる。
【０１１５】
また、本実施の形態によれば、予測結果選択による特定条件の更新及び特定条件の範囲を細分化することができ、より詳細なパラメータ設定をした結果を得ることができる。
【０１１６】
また、本実施の形態によれば、過去の履歴を画像で表示するので、最適な結果を見つけやすくなり、処理時間を短縮することができる。また、パラメータを固定した状態（例えば、選択されたパラメータ及び当該パラメータに基づく処理結果後の画像）を処理毎に複数表示することにより、確認のための状態の切り替え（例えば、パラメータの変更）に要する作業を削減することができる。また、過去の履歴をテキストで表示する場合に比べて、本実施の形態によれば、履歴の網羅表示及び履歴に対する処理の継続により、履歴探索の時間を削減し、最適な結果を得るまでの時間を短縮することができる。
【０１１７】
また、過去に撮影した複数の画像を参照して経過観察する場合、同一部位の画像を探し出す作業が煩雑となり、読影に時間を要することがある。このため、同じ撮影部位を異なる検査日に撮影して診断する場合に、同一部位の複数の画像を時系列的に表示する方法が考えられる。しかし、時系列的に表示された画像が、必ずしも最適な画像であるとは限らない。このような場合でも、時系列的に表示された個々の画像に対して、様々なパラメータを一つずつ試行錯誤する必要があり、最適な結果を得るための手間と時間を要する。しかし、本実施の形態によれば、処理を指定するだけで複数のパラメータが設定され、設定されたパラメータに基づく処理後の画像が複数表示されるので、効率よく最適な結果を得ることができる。
【０１１８】
上述の実施の形態では、表示装置５０が表示処理部５２を備える構成であったが、これに限定されるものではない。例えば、サーバ２０に、表示処理部５２と同様の構成を備えることができる。この場合、表示装置５０では、操作入力部５３で行われた操作をサーバ２０へ出力し、当該操作に応じてサーバ２０が所要の表示処理を行い、処理結果を当該表示装置５０へ送信するようにすればよい。
【０１１９】
本実施の形態に係るコンピュータプログラムは、コンピュータに、画像を出力させるためのコンピュータプログラムであって、コンピュータに、画像に対する第１の処理の指定に基づいて前記第１の処理の内容を特定する複数の特定条件を設定する処理と、前記複数の特定条件それぞれに基づく処理結果後の画像をそれぞれ出力する処理とを実行させる。
【０１２０】
本実施の形態に係る記録媒体は、コンピュータに、画像を出力させるためのコンピュータプログラムを記録したコンピュータでの読み取りが可能な非一時的な記録媒体であって、前記コンピュータプログラムは、コンピュータに、画像に対する第１の処理の指定に基づいて前記第１の処理の内容を特定する複数の特定条件を設定する処理と、前記複数の特定条件それぞれに基づく処理結果後の画像をそれぞれ出力する処理とを実行させる。
【０１２１】
本実施の形態に係る表示装置は、画像を表示画面に表示する表示装置であって、画像に対する第１の処理の指定に基づいて前記第１の処理の内容を特定する複数の特定条件を設定する設定部と、前記複数の特定条件それぞれに基づく処理結果後の画像をそれぞれ表示する表示処理部とを備える。
【０１２２】
本実施の形態に係る表示方法は、画像を表示画面に表示する表示方法であって、画像に対する第１の処理の指定に基づいて前記第１の処理の内容を特定する複数の特定条件を設定し、前記複数の特定条件それぞれに基づく処理結果後の画像をそれぞれ表示する。
【０１２３】
コンピュータプログラム、記録媒体、表示装置及び表示方法は、画像に対する第１の処理の指定に基づいて当該第１の処理の内容を特定する複数の特定条件を設定する。画像は、表示画面に表示される医用画像である。画像に対する処理は、例えば、画像を表示画面に表示する際に行われる処理である。処理の指定は、例えば、表示画面上の処理指定用のアイコンなどを操作することにより行うことができる。処理の内容を特定する特定条件は、当該処理を行う際の処理条件を定めるパラメータを含む。
【０１２４】
コンピュータプログラム、記録媒体、表示装置及び表示方法は、複数の特定条件それぞれに基づく処理結果後の画像をそれぞれ出力する。すなわち、複数の条件に基づく画像をそれぞれ出力する。
【０１２５】
上述の構成により、一つの処理を指定すれば、処理の内容を特定する特定条件が複数設定され、複数の特定条件それぞれに基づいて処理された結果の画像がそれぞれ出力されるので、表示条件を決めるパラメータを一つずつ試行錯誤する必要がなく、効率よく最適な結果を得ることができる。
【０１２６】
本実施の形態に係るコンピュータプログラムは、コンピュータに、前記画像に対する第２の処理の指定に基づいて前記第２の処理の内容を特定する複数の特定条件を設定する処理と、前記第１の処理の内容を特定する複数の特定条件それぞれと前記第２の処理の内容を特定する複数の特定条件それぞれとの組み合わせによって得られる複数の組み合わせ特定条件に基づく処理結果後の画像をそれぞれ出力する処理とを実行させる。
【０１２７】
コンピュータプログラムは、画像に対する第２の処理の指定に基づいて第２の処理の内容を特定する複数の特定条件を設定する。第２の処理は、第１の処理と異なる処理である。
【０１２８】
コンピュータプログラムは、第１の処理の内容を特定する複数の特定条件それぞれと第２の処理の内容を特定する複数の特定条件それぞれとの組み合わせによって得られる複数の組み合わせ特定条件に基づく処理結果後の画像をそれぞれ出力する。画像を表示画面に表示する際に行われる処理が一つではなく、異なる処理を同時に行うことができる場合、それぞれの処理の内容を特定する複数の特定条件同士を組み合わせた組み合わせ特定条件に基づいて、異なる処理を同時に行うためのパラメータを決定することができる。
【０１２９】
上述の構成により、異なる処理それぞれを指定すれば、異なる処理を同時に行うための組み合わせ特定条件が複数設定され、複数の組み合わせ特定条件それぞれに基づいて処理された結果の画像がそれぞれ出力されるので、表示条件を決めるパラメータを一つずつ試行錯誤する必要がなく、効率よく最適な結果を得ることができる。
【０１３０】
本実施の形態に係るコンピュータプログラムは、コンピュータに、前記処理に関する基準値の指定に基づいて前記基準値を含む範囲内に前記複数の特定条件を設定する処理を実行させる。
【０１３１】
コンピュータプログラムは、処理に関する基準値の指定に基づいて当該基準値を含む範囲内に複数の特定条件を設定する。例えば、処理の内容を特定する特定条件のうち、基準値となる特定条件を指定することにより、当該特定条件を含む範囲内に複数の特定条件を設定することができる。範囲は、予め定めておくこともでき、基準値に応じて範囲の広狭を変えるようにしてもよい。
【０１３２】
上述の構成により、処理の内容を特定する基準値を決めるだけで複数の特定条件を設定することができ、作業性が向上する。
【０１３３】
本実施の形態に係るコンピュータプログラムは、コンピュータに、前記処理に関する範囲の指定に基づいて前記範囲内に前記複数の特定条件を設定する処理を実行させる。
【０１３４】
コンピュータプログラムは、処理に関する範囲の指定に基づいて範囲内に複数の特定条件を設定する。範囲の指定は、上限値でもよく、下限値でもよく、上限値及び下限値でもよい。例えば、処理の内容を特定する特定条件のうち、上限値及び下限値となる特定条件を指定することにより、当該特定条件を含む範囲内に複数の特定条件を設定することができる。範囲内に特定する特定条件の数は、予め定めておくこともでき、上限値又は下限値に応じて多少を変えるようにしてもよい。
【０１３５】
上述の構成により、処理の内容を特定する範囲を決めるだけで複数の特定条件を設定することができ、作業性が向上する。
【０１３６】
本実施の形態に係るコンピュータプログラムは、コンピュータに、前記複数の特定条件または前記複数の組み合わせ特定条件の使用頻度に応じて、異なる表示態様になるように前記処理結果後の画像をそれぞれ出力する処理を実行させる。
【０１３７】
コンピュータプログラムは、複数の特定条件または複数の組み合わせ特定条件の使用頻度に応じて、異なる表示態様になるように処理結果後の画像をそれぞれ出力する。異なる表示態様は、例えば、画像の背景又は枠などの濃淡を変えること、色を変えることを含み、使用頻度が高いほど、目立つ態様で表示することができる。
【０１３８】
上述の構成により、処理の内容を特定する特定条件又は組み合わせ特定条件の使用頻度を視覚化することができ、例えば、どのような特定条件又は組み合わせ特定条件を用いれば、最適な結果が得られるのかを過去の処理に基づいて判断することができるので、最適な処理の内容に至るまでの時間を短縮することができる。
【０１３９】
本実施の形態に係るコンピュータプログラムは、コンピュータに、前記処理結果後の画像をそれぞれ表示する処理と、表示されたそれぞれの画像のうちの一の画像が選択された場合、選択された画像に対応する特定条件を基準値とし、該基準値を含む範囲に前記複数の特定条件を設定する処理とを実行させる。
【０１４０】
コンピュータプログラムは、処理結果後の画像をそれぞれ表示し、表示されたそれぞれの画像のうちの一の画像が選択された場合、選択された画像に対応する特定条件を基準値とし、当該基準値を含む範囲に複数の特定条件を設定する。
【０１４１】
上述の構成により、処理結果後の画像がそれぞれ表示された場合、表示された複数の画像の中で最適な結果に近いと考えられる画像を選択するだけで、さらに複数の特定条件を設定することができるので、最適な処理の内容に至るまでの時間を短縮することができる。
【０１４２】
本実施の形態に係るコンピュータプログラムは、コンピュータに、前記一の画像に対する操作に応じて、複数の前記特定条件を設定する範囲または設定する特定条件の数を変更する処理を実行させる。
【０１４３】
コンピュータプログラムは、一の画像に対する操作に応じて、複数の特定条件を設定する範囲または設定する特定条件の数を変更する。例えば、表示された複数の画像の中で最適な結果に近いと考えられる画像を選択し、選択した画像に対して、所定の操作を行うことにより、複数の特定条件を設定する範囲を変更（例えば、広くし、あるいは狭く）することができる。また、表示された複数の画像の中で最適な結果に近いと考えられる画像を選択し、選択した画像に対して、所定の操作を行うことにより、設定する特定条件の数を変更する（例えば、数を増やす、あるいは数を減らす）ことができる。
【０１４４】
上述の構成により、処理結果後の画像がそれぞれ表示された場合、表示された複数の画像の中の所望の画像に対して、特定条件の範囲を広くして処理結果を確認すること、特定条件の範囲を狭くして処理結果を確認すること、設定する特定条件の数を増やして処理結果を確認すること、あるいは、設定する特定条件の数を減らして処理結果を確認することができ、最適な処理の内容に至るまでの時間を短縮することができる。
【０１４５】
本実施の形態に係るコンピュータプログラムは、コンピュータに、前記処理結果後の画像をそれぞれ表示する処理と、表示されたそれぞれの画像のうちの複数の画像が選択された場合、選択された複数の画像に対応する特定条件を範囲とし、該範囲に前記複数の特定条件を設定する処理とを実行させる。
【０１４６】
コンピュータプログラムは、処理結果後の画像をそれぞれ表示し、表示されたそれぞれの画像のうちの複数（例えば、２つ）の画像が選択された場合、選択された複数の画像に対応する特定条件を範囲とし、当該範囲に複数の特定条件を設定する。
【０１４７】
上述の構成により、処理結果後の画像がそれぞれ表示された場合、表示されたそれぞれの画像の中で２つの画像の間の特定条件をさらに詳細に特定することができるので、最適な処理の内容に至るまでの時間を短縮することができる。
【０１４８】
本実施の形態に係るコンピュータプログラムにおいて、前記処理は、ウィンドウ幅、ウィンドウ値、カラーマップのＲＧＢ値又は不透明度、回転角度、拡縮倍率、クリッピング座標、及び信号値閾値に関する処理の少なくとも一つを含む。
【０１４９】
処理は、ウィンドウ幅、ウィンドウ値、カラーマップのＲＧＢ値又は不透明度、回転角度、拡縮倍率、クリッピング座標、及び信号値閾値に関する処理の少なくとも一つを含む。これにより、各処理が行われた結果の画像が複数出力されるので、表示条件を決めるパラメータを一つずつ試行錯誤する必要がなく、効率よく最適な結果を得ることができる。
【０１５０】
本実施の形態に係るコンピュータプログラムにおいて、前記処理は、視点位置及び部位に関する処理の少なくとも一つを含む。
【０１５１】
処理は、視点位置及び部位に関する処理の少なくとも一つを含む。視点位置は、例えば、ボリュームレンダリング画像の複数の視点位置である。部位に関する処理は、ボリュームレンダリング画像から所望の複数の部位を抽出する処理である。これにより、各処理が行われた結果の画像が複数出力されるので、表示条件を決めるパラメータを一つずつ試行錯誤する必要がなく、効率よく最適な結果を得ることができる。
【０１５２】
本実施の形態に係るコンピュータプログラムは、コンピュータに、複数の視点位置に基づく前記処理結果後の画像をそれぞれ表示する処理を実行させる。
【０１５３】
コンピュータプログラムは、複数の視点位置に基づく処理結果後の画像をそれぞれ表示する。これにより、例えば、ボリュームレンダリング画像に対して、同時に特定した複数の視点位置から見た画像を同時に表示することができ、操作時間、画像の確認時間を短縮することができる。
【０１５４】
本実施の形態に係るコンピュータプログラムは、コンピュータに、ボリュームレンダリング画像を表示する処理と、視点位置に基づく前記処理結果後の画像に対応する所定の断面での断面画像を表示する処理と、前記断面を前記ボリュームレンダリング画像内に表示する処理とを実行させる。
【０１５５】
コンピュータプログラムは、ボリュームレンダリング画像を表示し、視点位置に基づく処理結果後の画像に対応する所定の断面での断面画像を表示し、当該断面をボリュームレンダリング画像内に表示する。
【０１５６】
上述の構成により、視点位置に基づく処理結果後の画像が、ボリュームレンダリング画像に対して、どの断面で見ている画像であるのかが明確になり、ボリュームレンダリング画像を診断の補助に利用することができる。
【０１５７】
本実施の形態に係るコンピュータプログラムは、コンピュータに、前記ボリュームレンダリング画像内の断面に対する操作に応じて前記断面画像を更新する処理を実行させる。
【０１５８】
コンピュータプログラムは、ボリュームレンダリング画像内の断面に対する操作に応じて断面画像を更新する。例えば、ボリュームレンダリング画像内の断面を移動又は回転することにより、断面画像が更新（例えば、回転など）されるので、ボリュームレンダリング画像と断面画像との連携を高めることができ、ボリュームレンダリング画像を診断の補助に利用することができる。
【０１５９】
本実施の形態に係るコンピュータプログラムは、コンピュータに、複数の視点位置に基づく前記処理結果後のそれぞれの画像中に所定の事象の有無を判定する処理と、前記事象があると判定した画像を他の画像と異なる態様で表示する処理とを実行させる。
【０１６０】
コンピュータプログラムは、複数の視点位置に基づく処理結果後のそれぞれの画像中に所定の事象の有無を判定し、事象があると判定した画像を他の画像と異なる態様で表示する。所定の事象は、例えば、骨折などの異常事象とすることができ、所定の事象は、予め所定の画像処理で判定することができる。異なる態様は、例えば、画像に枠を表示すること、画像の背景又は枠を点滅表示すること、画像に警告を表示することを含む。
【０１６１】
上述の構成により、複数の視点位置の画像が同時に表示され、そのうちの一つの画像中に所定の事象がある場合、直ちに事象の有無を確認することができるので、視点位置を変えた画像を一つずつ表示する場合に比べて、操作時間を短縮することができる。
【０１６２】
本実施の形態に係るコンピュータプログラムは、コンピュータに、画像に対する一連の処理の指定に基づいて、各処理の内容を特定する複数の特定条件の中から選択された特定条件に基づく処理結果後の画像を、前記一連の処理毎に表示する処理を実行させる。
【０１６３】
コンピュータプログラムは、画像に対する一連の処理の指定に基づいて、各処理の内容を特定する複数の特定条件の中から選択された特定条件に基づく処理結果後の画像を、一連の処理毎に表示する。
【０１６４】
例えば、一つの処理を指定して、当該処理の内容を特定する複数の特定条件それぞれに基づく処理結果後の画像を複数表示し、複数表示された画像の中から一の画像が選択された場合、選択された画像及び当該画像に対応する特定条件を記憶することができる。
【０１６５】
次に、当該一の処理を止めて、新しく別の処理を指定して、当該別の処理の内容を特定する複数の特定条件それぞれに基づく処理結果後の画像を複数表示し、複数表示された画像の中から一の画像が選択された場合、選択された画像及び当該画像に対応する特定条件を記憶することができる。
【０１６６】
上述の構成により、一つの処理を行った後に、当該処理を止めて別の処理を行った場合でも、一連の処理毎に、各処理の内容を特定する複数の特定条件の中から選択された特定条件に基づく処理結果後の画像を記憶しておくことにより、処理履歴を表示することができ、以前に行った処理の内容を再現することができる。
【０１６７】
本実施の形態に係るコンピュータプログラムは、コンピュータに、画像に対する一連の処理の指定に基づいて、各処理の内容を特定する複数の特定条件の中から選択された各特定条件の組み合わせによって得られる組み合わせ特定条件に基づく処理結果後の画像を表示する処理を実行させる。
【０１６８】
コンピュータプログラムは、画像に対する一連の処理の指定に基づいて、各処理の内容を特定する複数の特定条件の中から選択された各特定条件の組み合わせによって得られる組み合わせ特定条件に基づく処理結果後の画像を表示する。
【０１６９】
各特定条件の組み合わせによって得られる組み合わせ特定条件は、実施に指定された処理の内容を特定する複数の特定条件の中から選択された特定条件だけではなく、実際には指定されていない処理の内容を特定する特定条件も含まれる。
【０１７０】
上述の構成により、実際に処理を指定していない場合でも、一連の処理の中で特定された各特定条件の組み合わせによって得られる組み合わせ特定条件に基づく処理結果を確認することができ、効率よく最適な結果を得ることができる。
【０１７１】
本実施の形態に係るコンピュータプログラムは、コンピュータに、画像に対する一連の処理の指定の順序を示す指定順序識別子を表示する処理を実行させる。
【０１７２】
コンピュータプログラムは、画像に対する一連の処理の指定の順序を示す指定順序識別子を表示する。これにより、最適な結果に至るまでの処理の順番を視覚化することができ、同様の画像に対して最適な処理結果を得るまでの手順を提供することができる。
【符号の説明】
【０１７３】
１０  情報処理装置
２０  サーバ
２１  制御部
２２  記憶部
２３  通信部
５０  表示装置
５１  表示画面
５２  表示処理部
５３  操作入力部
５４  通信部
５５  記憶部
５２１  特定条件設定部
５２２  画像生成部
５２３  事象判定部
５２４  処理履歴表示部
５２６  ＣＰＵ
５２７  ＲＯＭ
５２８  ＲＡＭ
５２９  記録媒体読取部
【図１】
2019188031.tif 000003
【図２】
2019188031.tif 000004
【図３】
2019188031.tif 000005
【図４】
2019188031.tif 000006
【図５】
2019188031.tif 000007
【図６】
2019188031.tif 000008
【図７】
2019188031.tif 000009
【図８】
2019188031.tif 000010
【図９】
2019188031.tif 000011
【図１０】
2019188031.tif 000012
【図１１】
2019188031.tif 000013
【図１２】
2019188031.tif 000014
【図１３】
2019188031.tif 000015
【図１４】
2019188031.tif 000016
【図１５】
2019188031.tif 000017
【図１６】
2019188031.tif 000018
【図１７】
2019188031.tif 000019
【図１８】
2019188031.tif 000020
【図１９】
2019188031.tif 000021
【図２０】
2019188031.tif 000022
【図２１】
2019188031.tif 000023
【図２２】
2019188031.tif 000024
【図２３】
2019188031.tif 000025
【図２４】
2019188031.tif 000026
【図２５】
2019188031.tif 000027
【図２６】
2019188031.tif 000028